(57)【特許請求の範囲】
【請求項１】
記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなる磁気カード処理システムにおいて、
上記磁気カード発行機が、
上記磁気カードの磁気層の第１の磁性体に基本発行情報を記録し、第２の磁性体に隠蔽情報を記録する記録手段からなり、
上記第１の磁気カード処理機が、
上記磁気カードの磁気層の第１の磁性体に記録されている基本発行情報と、第２の磁性体に記録されている隠蔽情報とを読取る第１の読取手段と、
この第１の読取手段により読取った基本発行情報と隠蔽情報とを分離する分離手段と、
この分離手段により隠蔽情報が分離されるか否かにより、上記磁気カードの偽造を判定する第１の判定手段と、
この第１の判定手段により上記磁気カードが偽造でないと判定された際に、上記分離手段により分離される基本発行情報により上記磁気カードの正当性を判定する第２の判定手段とからなり、
上記第２の磁気カード処理機が、
上記磁気カードの磁気層の第１の磁性体に記録されている基本発行情報を読取る第２の読取手段と、
この第２の読取手段により読取られる基本発行情報により上記磁気カードの正当性を判定する第３の判定手段とからなる、
ことを特徴とする磁気カード処理システム。
【請求項２】
記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなる磁気カード処理システムにおいて、
上記磁気カード発行機が、
上記磁気カードの磁気層の第１の磁性体に基本発行情報を記録し、第２の磁性体に隠蔽情報を記録する記録手段からなり、
上記第１の磁気カード処理機が、
上記磁気カードの磁気層の第１の磁性体に記録されている基本発行情報と、第２の磁性体に記録されている隠蔽情報とを、所定の磁気ギャップ幅の第１の磁気ヘッドを用いて読取る第１の読取手段と、
この第１の読取手段により読取った基本発行情報と隠蔽情報とを分離する分離手段と、
この分離手段により隠蔽情報が分離されるか否かにより、上記磁気カードの偽造を判定する第１の判定手段と、
この第１の判定手段により上記磁気カードが偽造でないと判定された際に、上記分離手段により分離される基本発行情報により上記磁気カードの正当性を判定する第２の判定手段とからなり、
上記第２の磁気カード処理機が、
上記磁気カードの磁気層の第１の磁性体に記録されている基本発行情報を、上記第１の磁気ヘッドの磁気ギャップ幅よりも大きな磁気ギャップ幅を有する第２の磁気ヘッドを用いて読取る第２の読取手段と、
この第２の読取手段により読取られる基本発行情報により上記磁気カードの正当性を判定する第３の判定手段とからなる、
ことを特徴とする磁気カード処理システム。
【請求項３】
記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなる磁気カード処理システムにおいて、
上記磁気カード発行機が、
上記磁気カードの磁気層の第１の磁性体に基本発行情報を記録し、第２の磁性体に所定のパターンの隠蔽情報を記録する記録手段からなり、
上記第１の磁気カード処理機が、
上記磁気カードの磁気層の第１の磁性体に記録されている基本発行情報と、第２の磁性体に記録されている隠蔽情報とを読取る第１の読取手段と、
この第１の読取手段により読取った基本発行情報と隠蔽情報とを分離する分離手段と、
この分離手段により分離される隠蔽情報のパターンが所定のパターンと一致するか否かにより、上記磁気カードの偽造を判定する第１の判定手段と、
この第１の判定手段により上記磁気カードが偽造でないと判定された際に、上記分離手段により分離される基本発行情報により上記磁気カードの正当性を判定する第２の判定手段とからなり、
上記第２の磁気カード処理機が、
上記磁気カードの磁気層の第１の磁性体に記録されている基本発行情報を読取る第２の読取手段と、
この第２の読取手段により読取られる基本発行情報により上記磁気カードの正当性を判定する第３の判定手段とからなる、
ことを特徴とする磁気カード処理システム。
【請求項４】
記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなる磁気カード処理システムにおいて、
上記磁気カード発行機が、
上記磁気カードの磁気層の第１の磁性体に基本発行情報を記録し、第２の磁性体に所定のパターンの隠蔽情報を記録する記録手段からなり、
上記第１の磁気カード処理機が、
上記磁気カードの磁気層の第１の磁性体に記録されている基本発行情報と、第２の磁性体に記録されている隠蔽情報とを、所定の磁気ギャップ幅の第１の磁気ヘッドを用いて読取る第１の読取手段と、
この第１の読取手段により読取った基本発行情報と隠蔽情報とを分離する分離手段と、
この分離手段により分離される隠蔽情報のパターンが所定のパターンと一致するか否かにより、上記磁気カードの偽造を判定する第１の判定手段と、
この第１の判定手段により上記磁気カードが偽造でないと判定された際に、上記分離手段により分離される基本発行情報により上記磁気カードの正当性を判定する第２の判定手段とからなり、
上記第２の磁気カード処理機が、
上記磁気カードの磁気層の第１の磁性体に記録されている基本発行情報を、上記第１の磁気ヘッドの磁気ギャップ幅よりも大きな磁気ギャップ幅を有する第２の磁気ヘッドを用いて読取る第２の読取手段と、
この第２の読取手段により読取られる基本発行情報により上記磁気カードの正当性を判定する第３の判定手段とからなる、
ことを特徴とする磁気カード処理システム。
【発明の詳細な説明】
【０００１】
【発明の属する技術分野】
この発明は、磁気カードを処理する磁気カード処理機と磁気カード処理方法、その磁気カードを発行する磁気カード発行機と磁気カード発行方法に関する。
【０００２】
【従来の技術】
駅務用途、流通用途等に用いられる磁気カードの磁気情報を処理する磁気カード処理機において、容易に安定に処理可能であるニーズが高い反面、記録情報を容易に第三者が読取り、解読、改竄できない方式が望まれている。
【０００３】
そこで、記録内容を高保持記録する第１の磁性体と、最初は保持力が低く設定されており１度磁界に暴露されると著しく保持力が高くなる特性を有する第２の磁性体を有する磁気カードが提案されている。この磁気カードの第１の磁性体と、第２の磁性体に対して異なる信号を記録し、復調時に各磁性体の信号を分離して処理するものが考えられている。
【０００４】
このような磁気カードの処理方式は、重ね合わされていた信号を分離する方法が特殊なため、従来の磁気カード処理機で、上記磁気カードに記録されている信号を復調することができないようになっている。
したがって、新しい処理方式で記録された信号を従来の磁気カード処理機で復調することができず、互換性に問題があった。
【０００５】
【発明が解決しようとする課題】
上記したように、新しい処理方式で記録された信号を従来の磁気カード処理機で復調することができず、互換性に問題があるという欠点を除去するもので、新しい処理方式で記録された信号を従来の磁気カード処理機でも復調することができ、互換性が図れる磁気カード処理システムを提供することを目的とする。
【０００６】
【課題を解決するための手段】
この発明の磁気カード処理システムは、記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなるものにおいて、上記磁気カード発行機が、  上記磁気カードの磁気層の第１の磁性体に基本発行情報を記録し、第２の磁性体に隠蔽情報を記録する記録手段からなり、上記第１の磁気カード処理機が、上記磁気カードの磁気層の第１の磁性体に記録されている基本発行情報と、第２の磁性体に記録されている隠蔽情報とを読取る第１の読取手段と、この第１の読取手段により読取った基本発行情報と隠蔽情報とを分離する分離手段と、この分離手段により隠蔽情報が分離されるか否かにより、上記磁気カードの偽造を判定する第１の判定手段と、この第１の判定手段により上記磁気カードが偽造でないと判定された際に、上記分離手段により分離される基本発行情報により上記磁気カードの正当性を判定する第２の判定手段とからなり、上記第２の磁気カード処理機が、上記磁気カードの磁気層の第１の磁性体に記録されている基本発行情報を読取る第２の読取手段と、この第２の読取手段により読取られる基本発行情報により上記磁気カードの正当性を判定する第３の判定手段とからなる。
【０００７】
この発明の磁気カード処理システムは、記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなるものにおいて、上記磁気カード発行機が、
上記磁気カードの磁気層の第１の磁性体に基本発行情報を記録し、第２の磁性体に隠蔽情報を記録する記録手段からなり、上記第１の磁気カード処理機が、上記磁気カードの磁気層の第１の磁性体に記録されている基本発行情報と、第２の磁性体に記録されている隠蔽情報とを、所定の磁気ギャップ幅の第１の磁気ヘッドを用いて読取る第１の読取手段と、この第１の読取手段により読取った基本発行情報と隠蔽情報とを分離する分離手段と、この分離手段により隠蔽情報が分離されるか否かにより、上記磁気カードの偽造を判定する第１の判定手段と、この第１の判定手段により上記磁気カードが偽造でないと判定された際に、上記分離手段により分離される基本発行情報により上記磁気カードの正当性を判定する第２の判定手段とからなり、上記第２の磁気カード処理機が、上記磁気カードの磁気層の第１の磁性体に記録されている基本発行情報を、上記第１の磁気ヘッドの磁気ギャップ幅よりも大きな磁気ギャップ幅を有する第２の磁気ヘッドを用いて読取る第２の読取手段と、この第２の読取手段により読取られる基本発行情報により上記磁気カードの正当性を判定する第３の判定手段とからなる。
【０００８】
この発明の磁気カード処理システムは、記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなるものにおいて、上記磁気カード発行機が、上記磁気カードの磁気層の第１の磁性体に基本発行情報を記録し、第２の磁性体に所定のパターンの隠蔽情報を記録する記録手段からなり、上記第１の磁気カード処理機が、上記磁気カードの磁気層の第１の磁性体に記録されている基本発行情報と、第２の磁性体に記録されている隠蔽情報とを読取る第１の読取手段と、この第１の読取手段により読取った基本発行情報と隠蔽情報とを分離する分離手段と、この分離手段により分離される隠蔽情報のパターンが所定のパターンと一致するか否かにより、上記磁気カードの偽造を判定する第１の判定手段と、この第１の判定手段により上記磁気カードが偽造でないと判定された際に、上記分離手段により分離される基本発行情報により上記磁気カードの正当性を判定する第２の判定手段とからなり、上記第２の磁気カード処理機が、上記磁気カードの磁気層の第１の磁性体に記録されている基本発行情報を読取る第２の読取手段と、この第２の読取手段により読取られる基本発行情報により上記磁気カードの正当性を判定する第３の判定手段とからなる。
【０００９】
この発明の磁気カード処理システムは、記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなるものにおいて、上記磁気カード発行機が、上記磁気カードの磁気層の第１の磁性体に基本発行情報を記録し、第２の磁性体に所定のパターンの隠蔽情報を記録する記録手段からなり、上記第１の磁気カード処理機が、上記磁気カードの磁気層の第１の磁性体に記録されている基本発行情報と、第２の磁性体に記録されている隠蔽情報とを、所定の磁気ギャップ幅の第１の磁気ヘッドを用いて読取る第１の読取手段と、この第１の読取手段により読取った基本発行情報と隠蔽情報とを分離する分離手段と、この分離手段により分離される隠蔽情報のパターンが所定のパターンと一致するか否かにより、上記磁気カードの偽造を判定する第１の判定手段と、この第１の判定手段により上記磁気カードが偽造でないと判定された際に、上記分離手段により分離される基本発行情報により上記磁気カードの正当性を判定する第２の判定手段とからなり、上記第２の磁気カード処理機が、上記磁気カードの磁気層の第１の磁性体に記録されている基本発行情報を、上記第１の磁気ヘッドの磁気ギャップ幅よりも大きな磁気ギャップ幅を有する第２の磁気ヘッドを用いて読取る第２の読取手段と、この第２の読取手段により読取られる基本発行情報により上記磁気カードの正当性を判定する第３の判定手段とからなる。
【００１０】
【発明の実施の形態】
以下、この発明の一実施例について図面を参照して説明する。
図１は、交通、流通等で用いられる定期券、チケット、プリペイドカード等の磁性体を塗布した磁気カード１を扱う磁気カード処理システムを示すものである。
【００１１】
この磁気カード処理システムは、磁気カード１を発行する磁気カード発行機２、磁気カード１を処理する新タイプの磁気カード処理機３、磁気カード１を処理する旧タイプの磁気カード処理機４により構成されている。
【００１２】
磁気カード発行機２は、セキュリティを考慮して情報が記録されている磁気カード１を発行するものであり、磁気カード処理機３は、セキュリティを考慮して情報が記録されている磁気カード１を処理するものであり、磁気カード処理機４は、通常の形態で情報が記録されている磁気カード１を処理するものである。
【００１３】
上記磁気カード１としては、金額等の対価機能を有するプリペイドカードを例にして記述する。
上記磁気カード１は、図２に示すように、基層５の上に高保持記録磁性体と他の磁性体とを混合した磁気層６が設けられている。基層５は、ＰＥＴ（ポリエチレンテレフタレート）あるいは紙によって構成されている。
【００１４】
磁気層６は、バリウムフェライトで構成される高保持記録磁性体と、最初は特殊な処理にて保持力が低く設定されているが、一度、磁界に暴露されると、著しく保持力が高くなる特性（従来の磁気ヘッドによる記録が困難である）を有するＳ磁性体｛たとえば、ＭｎＢｉ（マンガンビスマス）磁性粉のような、初期状態と磁界暴露後とで、保持力が大幅に変わるもの｝を混合して基層５に塗布したものである。
【００１５】
磁気カード１の磁気層６は、図３に示すように、ワンタイム記録トラック（発行情報トラック）７とリード／ライトトラック（使用実績トラック）８の２つのトラックを有している。
【００１６】
ワンタイム記録トラック（発行情報トラック）７は、上記磁気カード発行機２による発行時、つまり初期状態で、まず、図４の（ａ）に示すように、部分的に、直流磁界による消去（磁界の印加）がなされることにより、図４の（ｂ）に示すように、部分的に、Ｓ磁性体７ａは著しく高い保持力となり磁気の書換えができなくなり無効化され、高保持記録磁性体（Ｎ磁性体）７ｂは高保持記録情報が消去され、情報記録はなされない。
【００１７】
これにより、Ｓ磁性体７ａは部分的に著しく高い保持力に変化し、Ｓ磁性体７ａの高い保持力に変化している部分により、隠蔽情報が記録されるようになっている。
【００１８】
これに更に、図４の（ｃ）に示すように、磁気カード１の基本発行情報に対する高保持記録を行えば、図４の（ｄ）に示すように、Ｓ磁性体７ａの著しく高い保持力に変化している部分は記録に寄与しないが、対応する高保持記録磁性体７ｂには従来通り記録が行われ、Ｓ磁性体７ａの著しく高い保持力に変化していない部分は対応する高保持記録磁性体７ｂとともに同時にデータの記録が行われる。
【００１９】
上記Ｓ磁性体７ａは著しく高い保持力で記録内容を記録し、高保持記録磁性体７ｂは記録内容を高保持記録するものであり、読取りにおいても両方の磁性体７ａ、７ｂに記録された記録磁束を読むことが可能となる。
【００２０】
ワンタイム記録トラック７は、一度磁界が暴露されることにより、Ｓ磁性体７ａが著しく高い保持力に変化し、Ｓ磁性体７ａに対する再度の記録を行うことができず、隠蔽情報などの発行時にしか記録しない情報（発行時に一度記録されると、書き換えが生じない情報）を記録するものである。これにより、このワンタイム記録トラック７のＳ磁性体７ａには、再書込ができないため、改竄等が困難な記録が可能となる。
【００２１】
また、ワンタイム記録トラック７の高保持記録磁性体７ｂには、磁気カード１の基本発行情報が記録されるようになっている。
基本発行情報としては、発行における金額・発行機関・適用システムの範囲を表す情報、カードのΙＤとして発行番号となっている。
【００２２】
リード／ライトトラック（使用実績トラック）８は、上記磁気カード発行機２による発行時、つまり初期状態で、まず、直流磁界による消去（磁界の印加）がなされることにより、Ｓ磁性体８ａは著しく高い保持力となり磁気の書換えができなくなり無効化され、高保持記録磁性体８ｂは高保持記録情報が消去され、情報記録はなされない。これに更に高保持記録を行えば、Ｓ磁性体８ａは著しく高い保持力に変化しているため記録に寄与しないが、高保持記録磁性体８ｂは従来通り記録、読取り、書き換えが可能となる。
【００２３】
リード／ライトトラック（使用実績トラック）８は、従来の使用毎（対価等の取引）の実績記録、残額記録（課金情報）等の逐次情報の記録領域として用いる。すなわち、使用毎に発生する情報として、使用金額、購入物件情報を示すコード、処理の日付時間、処理した場所、残額等の使用実績記録と残額情報が記録される。このトラックは、使用の度に記録、読取りを繰り返すため、書き換えが必須なトラックである。
【００２４】
このように、同一の磁性体構造をした磁気カード１を最初の処理により、異なった性質の用途に切り替え、かつ、これにより改竄防止が行えるようになっている。
【００２５】
図５は、磁気カード発行機１の要部の構成を示す断面図である。
すなわち、本体１１内の図示左側には、発行前の複数枚の磁気カード１が収納されているスタッカ１２が設けられている。このスタッカ１２の磁気カード１は取出ローラ１３により１枚ずつ取出され、搬送路１４により搬送されるようになっている。この搬送路１４には、磁気カード１を搬送する搬送ローラ１５、…が設けられている。また、搬送路１４には、取出ローラ１３により取出された磁気カード１に情報を記録したり直流磁界により消去する書込ヘッド１６、１７、および磁気カード１に記録されている情報を読取る読取ヘッド１８が順次設けられている。読取ヘッド１８により読取られた磁気カード１は、搬送路１４の終端部に設けられた発行口１９から発行されるようになっている。
【００２６】
磁気カード１は、図５に示す搬送方向ａに、搬送路１４上を搬送されるようになっている。
書込ヘッド１６、１７、読取ヘッド１８は、それぞれ磁気ギャップを有するヘッドにより構成されている。
【００２７】
書込ヘッド１６、１７は、ワンタイム記録トラック７とリード／ライトトラック８に対して別々に記録が行えるものである。
読取ヘッド１８は、ワンタイム記録トラック７とリード／ライトトラック８に対して別々に読取りが行えるものである。
【００２８】
図６は、磁気カード発行機２の制御回路の構成を示すブロック図である。
すなわち、制御部２１は、磁気カード発行機２の全体を制御するものである。この制御部２１には、発行内容等を入力する操作パネル２２、取出ローラ１３や搬送ローラ１５、…による搬送機構２３を駆動するドライバ２４、書込ヘッド１６を駆動するドライバ２５、書込ヘッド１７を駆動するドライバ２６、および読取ヘッド１８による読取り内容をたとえばＭＦＭ変調の逆変換により復調する読取回路２７が接続されている。
【００２９】
制御部２１は、書込ヘッド１６、１７への書込みデータを、図示しない変調回路によりたとえばＭＦＭ変調を行ってから、ドライバ２５、２６に供給するようになっている。この変調回路は、ドライバ２５、２６内に設けられていても、ドライバ２５、２６と制御部２１との間に設けられていても良い。
【００３０】
読取回路２７には、ピーク検出器２７ａ、ウインドウ信号出力部２７ｂ、遅延回路２７ｃ、Ｎ信号抽出部２７ｄ、およびＳ信号抽出部２７ｅが備えられているものであり、ワンタイム記録トラック７に記録されている暗号化キーを抽出するとともに、発行情報が暗号化されているデータを抽出するものである。
【００３１】
上記ピーク検出器２７ａは、読取ヘッド１８による読取信号のピークを検出し、そのピークに対応したパルス信号を出力するものであり、たとえば、図４の（ｅ）に示すように、ワンタイム記録トラック７のＳ磁性体７ａと高保持記録磁性体７ｂの両方から信号が読取れる部分と、高保持記録磁性体７ｂだけから信号が読取れる部分とにより得られる波形からピークを検出し、そのピークに対応したパルス信号を出力するものである。
【００３２】
Ｓ磁性体７ａと高保持記録磁性体７ｂの両方から信号が読取れる部分では、読取ヘッド１８からの読取信号としては、図７の（ａ）に示すように、高保持記録磁性体７ｂによる信号波形（Ｎ）と、差分時間Ｔ０の遅れでＳ磁性体７ａによる信号波形（Ｓ）との磁束の和が出力される。
【００３３】
なお、差分時間Ｔ０は、図８に示すように、磁気カード１を搬送する搬送速度の値に関係している。この差分時間Ｔ０に関する条件は、記録信号：１０５ＢＰＩ（ビット  パー  インチ）、記録変調方式：Ｆ２Ｆ、記録ヘッド：２．４ｍｍトラック幅かつギャップ幅６０μｍかつ記録電流１Ａ0-P 、再生ヘッド：１ｍｍトラック幅かつギャップ幅４０μｍとなっている。
【００３４】
上記読取ヘッド１８からの読取信号のピークをピーク検出器２７ａで検出することにより、図７の（ｂ）に示すように、高保持記録磁性体７ｂによるパルス信号とこのパルス信号から差分時間Ｔ０の遅れでＳ磁性体７ａによるパルス信号とが出力される（極性チェック付き）。ピーク検出器２７ａから出力されるパルス信号はウインドウ信号出力部２７ｂ、遅延回路２７ｃに供給される。
【００３５】
ウインドウ信号出力部２７ｂは、図７の（ｃ）に示すように、ピーク検出器２７ａからパルス信号が供給されてから時間Ｔ１後に、時間幅Ｔ２の差分時間検出用のウインドウ信号を出力するものである。ウインドウ信号出力部２７ｂからのウインドウ信号はＮ信号抽出部２７ｄ、Ｓ信号抽出部２７ｅに供給される。
【００３６】
遅延回路２７ｃは、ウインドウ信号出力部２７ｂによる処理時間分、ピーク検出器２７ａからのパルス信号を遅延するものである。遅延回路２７ｃからのパルス信号はＮ信号抽出部２７ｄ、Ｓ信号抽出部２７ｅに供給される。
【００３７】
Ｎ信号抽出部２７ｄは、遅延回路２７ｃからのパルス信号をウインドウ信号出力部２７ｂからのウインドウ信号によりインヒビットすることにより、図７の  （ｄ）に示すように、高保持記録磁性体７ｂでの記録波形によるパルス信号（Ｎ信号）のみを抽出するものである。
【００３８】
Ｓ信号抽出部２７ｅは、遅延回路２７ｃからのパルス信号とウインドウ信号出力部２７ｂからのウインドウ信号とのアンドを取ることにより、図７の（ｅ）に示すように、Ｓ磁性体７ａでの記録波形によるパルス信号（Ｓ信号）のみを抽出するものであり、この信号はＳ磁性体７ａの検知信号としても用いられるようになっている。
【００３９】
Ｎ信号抽出部２７ｄからの高保持記録磁性体７ｂでの記録波形によるパルス信号とＳ信号抽出部２７ｅからのＳ磁性体７ａでの記録波形によるパルス信号は、復調部（図示しない）を介して暗号解読部２８へ出力されるようになっている。
【００４０】
次に、上記磁気カード発行機２による磁気カード１の発行処理について、図９に示すフローチャートを参照しつつ説明する。
すなわち、操作パネル２２によりカードの発行条件としての、発行における金額・発行機関・適用システムの範囲や発行番号を指定し、図示しないスタートキーを投入する（ＳＴ１）。
【００４１】
すると、制御部２１は、ドライバ２４により搬送機構２３を駆動することにより、取出ローラ１３および搬送ローラ１５、…を回転する。これにより、スタッカ１２に収納されている磁気カード１が取出ローラ１３により取出され、搬送路１４により搬送される（ＳＴ２）。
【００４２】
ついで、制御部２１は、ワンタイム記録トラック７に対する隠蔽情報に対応した所定区間ごとの直流消去信号（図４の（ａ）参照）と、リード／ライトトラック８の全体に対する直流消去信号をドライバ２５を介して書込ヘッド１６に供給する（ＳＴ３）。隠蔽情報に対応した所定区間はランダムに変更されるものでも良い。
【００４３】
これにより、書込ヘッド１６によりワンタイム記録トラック７に所定区間ごとに直流消去磁界が印加され、部分的に消去され（図４の（ｂ）参照）、リード／ライトトラック８の全体に直流消去磁界が印加され、消去される（ＳＴ４）。
【００４４】
この結果、ワンタイム記録トラック７のＳ磁性体７ａが部分的に、著しく高い保持力の消去状態となり、リード／ライトトラック８の全体のＳ磁性体８ａが著しく高い保持力の消去状態となる。
【００４５】
この際、制御部２１は、基本発行情報を内部メモリ（図示しない）に記憶されている。
ついで、制御部２１は、操作パネル２２により指定されたカードの発行条件に対応する基本発行情報としての発行における金額・発行機関・適用システムの範囲を表す情報、カードのΙＤとして発行番号をＭＦＭ変調したエンコード情報  （図４の（ｃ）参照）と初期値としての情報としてのフォーマットデータのエンコード情報とをドライバ２６を介して書込ヘッド１７に供給する（ＳＴ５）。
【００４６】
これにより、書込ヘッド１７によりワンタイム記録トラック７に基本発行情報としての発行における金額・発行機関・適用システムの範囲を表す情報、カードのΙＤとして発行番号が記録される。この際、図４の（ｄ）に示すように、Ｓ磁性体７ａが消去状態となっている高保持記録磁性体７ｂの部分では、上記データがそのまま高保持記録磁性体７ｂだけに記録され、Ｓ磁性体７ａが消去状態となっていない部分では、上記データがＳ磁性体７ａと高保持記録磁性体７ｂとに同時に記録され、リード／ライトトラック８に初期値の情報たとえばフォーマットデータが記録される（ＳＴ６）。
【００４７】
この結果、ワンタイム記録トラック７のＳ磁性体７ａは、著しく高い保持力で消去されている部分と基本発行情報が記録されている部分とからなり、高保持記録磁性体７ｂには基本発行情報が記録され、リード／ライトトラック８のＳ磁性体８ａは著しく高い保持力の消去状態となり、高保持記録磁性体８ｂにはフォーマットデータが記録される。
【００４８】
さらに、読取ヘッド１８により磁気カード１の読取りが行われる。すなわち、ワンタイム記録トラック７のＳ磁性体７ａに記録されている基本発行情報の一部と高保持記録磁性体７ｂに記録されている基本発行情報の読取りが行われ、この読取り内容が読取回路２７により復調されて制御部２１に供給され、またリード／ライトトラック８に記録されている初期情報の読取りが行われ、この読取内容が読取回路２７により復調されて制御部２１へ出力される（ＳＴ７）。
【００４９】
すなわち、ピーク検出器２７ａにより、読取ヘッド１８による読取信号のピークを検出し、そのピークに対応したパルス信号として、たとえば、図４の（ｅ）（ｆ）に示すように、ワンタイム記録トラック７のＳ磁性体７ａと高保持記録磁性体７ｂの両方から信号が読取れる部分と、高保持記録磁性体７ｂだけから信号が読取れる部分とにより得られる波形からピークを検出し、そのピークに対応したパルス信号がウインドウ信号出力部２７ｂ、遅延回路２７ｃに出力される。
【００５０】
すなわち、Ｓ磁性体７ａと高保持記録磁性体７ｂの両方から信号が読取れる部分では、読取りヘッド１８からの読取信号として、図７の（ａ）に示すように、高保持記録磁性体７ｂによる信号波形と、差分時間Ｔ０の遅れでＳ磁性体７ａによる信号波形との磁束の和が出力される。この信号のピークをピーク検出器２７ａで検出することにより、図７の（ｂ）に示すように、高保持記録磁性体７ｂによるパルス信号とこのパルス信号から差分時間Ｔ０の遅れでＳ磁性体７ａによるパルス信号とが出力される。
【００５１】
ウインドウ信号出力部２７ｂにより、図７の（ｃ）に示すように、ピーク検出器２７ａからパルス信号が供給されてから時間Ｔ１後に、時間幅Ｔ２の差分時間検出用のウインドウ信号がＮ信号抽出部２７ｄ、Ｓ信号抽出部２７ｅに出力される。
【００５２】
Ｎ信号抽出部２７ｄにより、ピーク検出器２７ａから遅延回路２７ｃを介して供給されるパルス信号をウインドウ信号出力部２７ｂからのウインドウ信号によりインヒビットすることにより、高保持記録磁性体７ｂでの記録波形によるパルス信号のみを抽出し、復調部（図示しない）を介して制御部２１へ出力される。
【００５３】
Ｓ信号抽出部２７ｅにより、ピーク検出器２７ａから遅延回路２７ｃを介して供給されるパルス信号とウインドウ信号出力部２７ｂからのウインドウ信号とのアンドを取ることにより、Ｓ磁性体７ａでの記録波形によるパルス信号のみを抽出し、復調部（図示しない）を介して制御部２１へ出力される。
【００５４】
これにより、制御部２１は、Ｓ信号抽出部２７ｅからのパルス信号により隠蔽情報の記録を確認し、この確認がなされた際に、Ｎ信号抽出部２７ｄからのデータ（読取内容）としての発行情報と記録を行った発行情報とが一致するかを比較し、リード／ライトトラック８からの読取内容によりフォーマットデータが正しく記録されているかにより、磁気カード１の正当性を確認する（ＳＴ９）。
【００５５】
この結果、磁気カード１の正当性が確認された場合、制御部２１は、正しいカードの発行を操作パネル２２により案内するとともに、その磁気カード１を発行口１９より発行する（ＳＴ１０）。
【００５６】
また、ステップ５８で磁気カード１の正当性が確認されなかった場合、制御部２１は、カードの発行異常を操作パネル２２により案内するとともに、その磁気カード１を発行口１９より排出する（ＳＴ１１）。
【００５７】
また、この発行異常となった磁気カード１は、回収庫（図示しない）に回収されるようにしても良い。
図１０は、磁気カード処理機３の要部の構成を示す断面図である。
【００５８】
すなわち、本体３１内の図示右側には、磁気カード１が挿入される挿入口３２が設けられている。この挿入口３２に挿入された磁気カード１は搬送ローラ３３、…により搬送路３４上を搬送されるようになっている。また、本体３１の内部に取り込まれた磁気カード１は搬送ローラ３３、…の逆回転により搬送路３４上を搬送され挿入口３２から排出されるようになっている。この搬送路３４には、磁気カード１の情報を読取る読取ヘッド３５と磁気カード１に情報を記録する書込ヘッド３６が設けられている。読取ヘッド３５は、挿入口３２により挿入された磁気カード１から情報を読取ったり、書込ヘッド３６により情報が記録された磁気カード１からその記録された情報を読取るものである。書込ヘッド３６は、搬送される磁気カード１に情報を記録するものである。
【００５９】
磁気カード１は、図１０に示す搬送方向ｂで、搬送路３４上を搬送されるようになっている。
書込ヘッド３６は、ワンタイム記録トラック７とリード／ライトトラック８に対して別々に記録用あるいは消去用の磁界が印加できるものである。
【００６０】
読取ヘッド３５は、ワンタイム記録トラック７とリード／ライトトラック８に対して別々に読取りが行えるものである。
読取ヘッド３５、書込ヘッド３６は、それぞれ磁気ギャップを有するヘッドにより構成されている。読取ヘッド３５の磁気ギャップ幅は狭く、感度の良いものとなっている。
【００６１】
図１１は、磁気カード処理機３の制御回路の構成を示すブロック図である。
すなわち、制御部４１は、磁気カード処理機の全体を制御するものである。この制御部４１には、処理内容等を入力する操作パネル４２、搬送ローラ３３、…による搬送機構４３を駆動するドライバ４４、読取ヘッド３５による読取り内容をたとえばＭＦＭ変調の逆変換により復調する読取回路４５、および書込ヘッド３６を駆動するドライバ４６が接続されている。
【００６２】
読取回路４５には、ピーク検出器４５ａ、ウインドウ信号出力部４５ｂ、遅延回路４５ｃ、Ｎ信号抽出部４５ｄ、およびＳ信号抽出部４５ｅが備えられており、読取回路２７と同様の構成となっている。
【００６３】
制御部４１は、Ｓ信号抽出部４５ｅからのパルス信号に基づいて隠蔽情報の記録を確認し、この確認結果に基づいて、Ｎ信号抽出部４５ｄからの秘匿情報としての基本発行情報を制御部４１へ出力するようになっている。
【００６４】
次に、磁気カード発行機２により発行された磁気カード１の、磁気カード処理機３での使用処理について、図１２に示すフローチャートを参照しつつ説明する。
【００６５】
すなわち、図示しない検知器により磁気カード１の挿入口３２からの挿入が検知された際（ＳＴ２１）、制御部４１は、ドライバ４４により搬送機構４３を駆動することにより、搬送ローラ３３、…を正方向に回転する。これにより、挿入口３２からの挿入された磁気カード１が搬送路３４により搬送される（ＳＴ２２）。
【００６６】
ついで、読取ヘッド３５により磁気カード１の読取りが行われる。すなわち、ワンタイム記録トラック７のＳ磁性体７ａに記録されている隠蔽情報と高保持記録磁性体７ｂに記録されている基本発行情報の読取りが行われ、この読取り内容が読取回路４５により復調されて制御部４１に供給され、またリード／ライトトラック８に記録されている初期情報の読取りが行われ、この読取内容が読取回路４５により復調されて制御部４１へ出力される（ＳＴ２３）。
【００６７】
すなわち、ピーク検出器４５ａにより、読取ヘッド３５による読取信号のピークを検出し、そのピークに対応したパルス信号として、たとえば、図４の（ｅ）に示すように、ワンタイム記録トラック７のＳ磁性体７ａと高保持記録磁性体７ｂの両方から信号が読取れる部分と、高保持記録磁性体７ｂだけから信号が読取れる部分とにより得られる波形からピークを検出し、そのピークに対応したパルス信号がウインドウ信号出力部４５ｂ、遅延回路４５ｃに出力される。
【００６８】
すなわち、Ｓ磁性体７ａと高保持記録磁性体７ｂの両方から信号が読取れる部分では、読取りヘッド１８からの読取信号として、図７の（ａ）に示すように、高保持記録磁性体７ｂによる信号波形と、差分時間Ｔ０の遅れでＳ磁性体７ａによる信号波形との磁束の和が出力される。この信号のピークをピーク検出器４５ａで検出することにより、図７の（ｂ）に示すように、高保持記録磁性体７ｂによるパルス信号とこのパルス信号から差分時間Ｔ０の遅れでＳ磁性体７ａによるパルス信号とが出力される。
【００６９】
ウインドウ信号出力部４５ｂにより、図７の（ｃ）に示すように、ピーク検出器４５ａからパルス信号が供給されてから時間Ｔ１後に、時間幅Ｔ２の差分時間検出用のウインドウ信号がＮ信号抽出部４５ｄ、Ｓ信号抽出部４５ｅに出力される。
【００７０】
Ｎ信号抽出部４５ｄにより、ピーク検出器４５ａから遅延回路４５ｃを介して供給されるパルス信号をウインドウ信号出力部４５ｂからのウインドウ信号によりインヒビットすることにより、高保持記録磁性体７ｂでの記録波形によるパルス信号のみを抽出し、復調部（図示しない）を介して制御部４１へ出力される。
【００７１】
Ｓ信号抽出部４５ｅにより、ピーク検出器４５ａから遅延回路４５ｃを介して供給されるパパルス信号とウインドウ信号出力部４５ｂからのウインドウ信号とのアンドを取ることにより、Ｓ磁性体７ａでの記録波形によるパルス信号のみを抽出し、復調部（図示しない）を介して制御部４１へ出力される。
【００７２】
これにより、制御部４１は、Ｓ信号抽出部４５ｅからのパルス信号に基づいて隠蔽情報の記録を確認し、この確認がなされた際に、Ｎ信号抽出部４５ｄからの信号を秘匿情報としての基本発行情報と判断する（ＳＴ２４）。
【００７３】
すなわち、制御部４１は、Ｓ信号抽出部４５ｅからのパルス信号が得られるか否かにより偽造か否かが判断され、この判断結果によりＳ磁性体７ａに記録されているデータが正当であるか否かを判断することができ、改竄、偽造防止を図ることができる。
【００７４】
また、上記ステップ２３において、リード／ライトトラック８の高保持記録磁性体８ｂに記録されている残額等の使用実績の読取りが行われ、この読取り内容が読取回路４５により復調されて制御部４１に供給される。
【００７５】
また、上記ステップ２４において、隠蔽情報の記録が確認された際、制御部４１は、上記基本発行情報の正当性を判断し（ＳＴ２５）、正当と判断した場合、今回の処理に対する料金を残額から差し引いた新たな使用実績としての残額を算出する（ＳＴ２６）。この際、今回の処理に対する料金は、たとえば、操作パネル４２により指定される。
【００７６】
ついで、制御部４１は、新たな使用実績としての残額のエンコード情報をドライバ４６を介して書込ヘッド３６に供給する（ＳＴ２７）。
これにより、書込ヘッド３６によりリード／ライトトラック８に新たな使用実績としての残額が記録される（ＳＴ２８）。
【００７７】
この後、制御部４１は、ドライバ４４により搬送機構４３を駆動することにより、搬送ローラ３３、…を逆方向に回転する。これにより、書込ヘッド３６により書込みがなされた磁気カード１が搬送路３４により挿入口３２側に搬送される（ＳＴ２９）。
【００７８】
ついで、読取ヘッド３５によりリード／ライトトラック８の読取りが行われ、リード／ライトトラック８の読取内容が読取回路４５により復調されて制御部４１に供給される（ＳＴ３０）。
【００７９】
これにより、制御部４１は、リード／ライトトラック８の読取り内容が記録した新たな使用実績との一致により磁気カード１の正当性を判断し（ＳＴ３１）、正常処理を操作パネル４２により案内するとともに、その磁気カード１を挿入口３２より排出する（ＳＴ３２）。
【００８０】
また、ステップ２４で隠蔽情報の記録の確認がなされなかった場合、ステップ２５で基本発行情報の正当性が判断されなかった場合、ステップ３１で磁気カード１の正当性が判断されなかった場合、制御部４１は、受入れた磁気カード１が異常券である旨を操作パネル４２により案内するとともに、その磁気カード１を挿入口３２より排出する（ＳＴ３３）。
【００８１】
磁気カード処理機４は、上述した図１０、図１１に示す磁気カード処理機３とほぼ同様な構成であり、同一部位に同一番号を付与し、説明を省略する。
すなわち、上記読取ヘッド３５の代り読取ヘッド５１が設けられている。この読取ヘッド５１の磁気ギャップ幅が広く、感度の悪いものとなっている。
【００８２】
また、図１３に示すように、読取回路４５の代りに復調回路５２が設けられている。この復調回路５２は、読取ヘッド５１により読取ったエンコードデータを復調する回路であり、この復調内容は制御部４１へ出力される。
【００８３】
次に、磁気カード発行機２により発行された磁気カード１の、磁気カード処理機４での使用処理について、図１３に示すフローチャートを参照しつつ説明する。
【００８４】
すなわち、図示しない検知器により磁気カード１の挿入口３２からの挿入が検知された際（ＳＴ４１）、制御部４１は、ドライバ４４により搬送機構４３を駆動することにより、搬送ローラ３３、…を正方向に回転する。これにより、挿入口３２からの挿入された磁気カード１が搬送路３４により搬送される（ＳＴ４２）。
【００８５】
ついで、読取ヘッド３５により磁気カード１の読取りが行われる。すなわち、ワンタイム記録トラック７に記録されている基本発行情報の読取りが行われ、この読取り内容が復調回路５２により復調されて制御部４１に供給され、またリード／ライトトラック８に記録されている初期情報の読取りが行われ、この読取内容が復調回路５２により復調されて制御部４１へ出力される（ＳＴ４３）。
【００８６】
すなわち、ギャップ幅の広い読取ヘッド３５によりワンタイム記録トラック７の読取りが行われた際、図４の（ｇ）に示すような、波形割れを生じることなく基本発行情報のエンコード情報に対応する信号波形を復調した信号が制御部４１へ出力される。
【００８７】
これにより、制御部４１は、復調回路５２からの復調信号により基本発行情報と判断する（ＳＴ４４）。
また、上記ステップ４３において、リード／ライトトラック８の高保持記録磁性体８ｂに記録されている残額等の使用実績の読取りが行われ、この読取り内容が復調回路５２により復調されて制御部４１に供給される。
【００８８】
ついで、制御部４１は、上記基本発行情報の正当性を判断し（ＳＴ４５）、正当と判断した場合、今回の処理に対する料金を残額から差し引いた新たな使用実績としての残額を算出する（ＳＴ４６）。この際、今回の処理に対する料金は、たとえば、操作パネル４２により指定される。
【００８９】
ついで、制御部４１は、新たな使用実績としての残額のエンコード情報をドライバ４６を介して書込ヘッド３６に供給する（ＳＴ４７）。
これにより、書込ヘッド３６によりリード／ライトトラック８に新たな使用実績としての残額が記録される（ＳＴ４８）。
【００９０】
この後、制御部４１は、ドライバ４４により搬送機構４３を駆動することにより、搬送ローラ３３、…を逆方向に回転する。これにより、書込ヘッド３６により書込みがなされた磁気カード１が搬送路３４により挿入口３２側に搬送される（ＳＴ４９）。
【００９１】
ついで、読取ヘッド３５によりリード／ライトトラック８の読取りが行われ、リード／ライトトラック８の読取内容が復調回路５２により復調されて制御部４１に供給される（ＳＴ５０）。
【００９２】
これにより、制御部４１は、リード／ライトトラック８の読取り内容が記録した新たな使用実績との一致により磁気カード１の正当性を判断し（ＳＴ５１）、正常処理を操作パネル４２により案内するとともに、その磁気カード１を挿入口３２より排出する（ＳＴ５２）。
【００９３】
また、ステップ５５で基本発行情報の正当性が判断されなかった場合、ステップ６１で磁気カード１の正当性が判断されなかった場合、制御部４１は、受入れた磁気カード１が異常券である旨を操作パネル４２により案内するとともに、その磁気カード１を挿入口３２より排出する（ＳＴ５３）。
【００９４】
上記したように、磁気カード発行機により発行される磁気カードには、そのワンタイム記録トラックのＳ磁性体に、著しく高い保持力で消去されている部分と基本発行情報の一部が記録されている部分とにより決定される隠蔽情報が記録され、高保持記録磁性体には基本発行情報が記録され、セキュリティ対応の磁気カード処理機（新）において、上記発行された磁気カードを処理する際に、ワンタイム記録トラックのＳ磁性体の部分ごとのパルス信号と高保持記録磁性体からのパルス信号とをそれぞれ抽出し、Ｓ磁性体からのパルス信号により隠蔽情報の記録を確認し、高保持記録磁性体からのパルス信号により基本発行情報を読取るようにし、セキュリティ対応となっていないの磁気カード処理機（旧）において、上記発行された磁気カードを処理する際に、ワンタイム記録トラックからＳ磁性体、高保持記録磁性体に係わらず得られるエンコード情報により基本発行情報を読取るようにしたものである。
【００９５】
これにより、改竄、偽造防止を図るセキュリティ対応の磁気カード処理機にて、上記磁気カードが扱えるとともに、セキュリティ対応となっていないの磁気カード処理機にても、上記磁気カードを扱うことができ、互換性を有している。
【００９６】
上記した実施の形態では、上記磁気カード処理機３で、磁気カードの偽造の判定を行う際に、Ｓ信号が抽出されるか否かにより行った場合について説明したが、これに限らず、抽出されるＳ信号によるパルス信号によるパターン（直流磁界による消去のパターン：図４の（ｆ）に示す、Ｘ、Ｙ、Ｚ参照）とあらかじめメモリに記憶されているパターンとが一致するか否かで、磁気カードの偽造の判定を行うようにしても良い。この場合、上記パターンは、発行日や券番号等を基に決められるようにしても良い。
【００９７】
また、上記した実施の形態では、磁気カードにおいて、基層上の磁気カードの全面にわたって高保持記録磁性体とＳ磁性体とを混合して形成されている磁気層が塗布されている場合について説明したが、これに限らず、基層上の磁気カードの全面にわたって高保持記録磁性体とＳ磁性体とが２層構造で塗布されるように構成しても良い。
【００９８】
この場合、図９に示す発行処理と、図１２、図１４に示す使用処理とが同様に実施できる。
また、ワンタイム記録トラックのＳ磁性体と高保持記録磁性体とに部分的にデータが記録され、読取信号として高保持記録磁性体による信号波形と、差分時間の遅れでＳ磁性体による信号波形との磁束の和が出力されて、それらの信号波形のピーク値が同じ場合について説明したが、これに限らず、２つの信号波形の読取り電圧のピーク値に差を設定するようにしても良い。すなわち、Ｓ磁性体による残留磁束と高保持記録磁性体による残留磁束とに差を持たせ、特異性を持たせたものである。この場合、読取り電圧のピーク値の差も考慮することにより、高度な改竄、偽造防止が図れる。
【００９９】
この場合、Ｎ信号とＳ信号の２つの読取り電圧をＡ／Ｄコンバータで変換することにより得られる波高値により比較される。
また、Ｓ磁性体に暗号化キーが記録され、高保持記録磁性体に暗号化されているデータが記録されている場合について説明したが、これに限らず、Ｓ磁性体に隠蔽情報が記録され、高保持記録磁性体に秘匿情報が記録される場合も、上記同様に実施できる。この場合、暗号解読部が不要であり、Ｎ信号抽出部によりＳ磁性体での記録波形によるパルス信号を除去した高保持記録磁性体での記録波形によるパルス信号のみを抽出することにより、秘匿情報を取り出すことができる。
【０１００】
【発明の効果】
以上詳述したように、この発明によれば、新しい処理方式で記録された信号を従来の磁気カード処理機でも復調することができ、互換性が図れる磁気カード処理システムを提供できる。
【図面の簡単な説明】
【図１】この発明の実施の形態を説明するための磁気カード処理システムの概略を示す図。
【図２】磁気カードの概略構成を示す断面図。
【図３】磁気カードのトラック構成を説明するための斜視図。
【図４】ワンタイム記録トラックにおける発行時の直流磁界、消去状態、エンコード情報、エンコード情報の記録状態、再生波形、隠蔽情報の関係を説明するための図。
【図５】磁気カード発行機の要部の構成を示す断面図。
【図６】磁気カード発行機の制御回路の構成を示すブロック図。
【図７】読取回路における各部の信号波形を説明するための図。
【図８】磁気カードを搬送する搬送速度に対する差分時間Ｔ０の関係を説明するための図。
【図９】磁気カードの発行処理を説明するためのフローチャート。
【図１０】磁気カード処理機の要部の構成を示す断面図。
【図１１】磁気カード処理機の制御回路の構成を示すブロック図。
【図１２】磁気カードの使用処理を説明するためのフローチャート。
【図１３】磁気カード処理機の制御回路の構成を示すブロック図。
【図１４】磁気カードの使用処理を説明するためのフローチャート。
【符号の説明】
１…磁気ヘッド
２…磁気カード発行機
３、４…磁気カード処理機
５…基層
６…磁気層
７…ワンタイム記録トラック（発行情報トラック）
８…リード／ライトトラック（使用実績トラック）
７ａ、８ａ…Ｓ磁性体
７ｂ、８ｂ…高保持記録磁性体
１４…搬送路
１６、１７…書込ヘッド
１８…読取ヘッド
２１、４１…制御部
２２、４２…操作パネル
２３、４３…搬送機構
２４、２５、２５、２６、２６、４４、４６…ドライバ
２７、４５…読取回路
２７ａ、４５ａ…ピーク検出器
２７ｂ、４５ｂ…ウインドウ信号出力部
２７ｃ、４５ｃ…遅延回路
２７ｄ、４５ｄ…Ｎ信号抽出部
２７ｅ、４５ｅ…Ｓ信号抽出部
５１…読取ヘッド
５２…復調回路
【図１】
0003813676.tif 000002
【図２】
0003813676.tif 000003
【図３】
0003813676.tif 000004
【図４】
0003813676.tif 000005
【図５】
0003813676.tif 000006
【図６】
0003813676.tif 000007
【図７】
0003813676.tif 000008
【図８】
0003813676.tif 000009
【図９】
0003813676.tif 000010
【図１０】
0003813676.tif 000011
【図１１】
0003813676.tif 000012
【図１２】
0003813676.tif 000013
【図１３】
0003813676.tif 000014
【図１４】
0003813676.tif 000015